【手続補正書】
【提出日】平成28年11月1日(2016.11.1)
【手続補正１】
【補正対象書類名】特許請求の範囲
【補正対象項目名】全文
【補正方法】変更
【補正の内容】
【特許請求の範囲】
【請求項１】
拡散火炎を発生するように構成された第１の拡散燃料ノズルを有するタービン燃焼器と、
前記タービン燃焼器における前記拡散火炎からの燃焼生成物によって駆動されるタービンと、
排気ガスを圧縮してそれを排気ガス再循環経路に沿って前記タービンから前記タービン燃焼器に送るように構成された排気ガス圧縮機と、
流量を変化させて少なくとも１つの酸化剤との少なくとも１つの燃料のほぼ化学量論的な比を提供するように構成された量論的制御モードと、前記流量を変化させて前記少なくとも１つの酸化剤との前記少なくとも１つの燃料の非化学量論比を提供するように構成された非量論的制御モードとで前記タービン燃焼器への少なくとも１つの酸化剤及び少なくとも１つの燃料の流量を制御するように構成された制御システムと、を備えている、
ことを特徴とするシステム。
【請求項２】
前記量論的制御モードは、約０．９５と約１．０の間の当量比を用いて前記ほぼ化学量論的な比を提供するように構成され、
前記非量論的制御モードは、約０．９５未満又は約１．０よりも大きい当量比を用いて前記非化学量論比を提供するように構成されている、
請求項１に記載のシステム。
【請求項３】
前記制御システムは、前記流量を第１のセットの流量から第２のセットの流量に変化させ、前記量論的制御モードと前記非量論的制御モードの間で移行するように構成されている、
請求項１に記載のシステム。
【請求項４】
前記量論的制御モードにおける前記制御システムは、前記ほぼ化学量論的な比を維持しながら、前記流量を前記第１のセットの流量から前記第２のセットの流量に変化させるように構成されている、
請求項１に記載のシステム。
【請求項５】
前記量論的制御モードにおける前記制御システムは、前記流量をそれぞれ前記第１のセットの流量から前記第２のセットの流量に変化させることによって前記タービンの出力を第１の出力から第２の出力に変化させるように構成されている、
請求項４に記載のシステム。
【請求項６】
前記第２のセットの流量は、前記第１のセットの流量未満であり、前記第２の出力は、前記第１の出力未満であり、
前記第２のセットの流量は、前記第１のセットの流量よりも大きく、前記第２の出力は、前記第１の出力よりも大きい、
請求項５に記載のシステム。
【請求項７】
前記量論的制御モードにおける前記制御システムは、前記流量を前記第１のセットの流量から前記第２のセットの流量に変化させながら前記排気ガスのエミッションを１又は２以上の目標エミッション範囲内に維持するように構成され、
前記１又は２以上の目標エミッション範囲は、約５０百万分の１体積（ｐｐｍｖ）未満の酸素範囲及び／又は約５０００ｐｐｍｖ未満の一酸化炭素範囲、または、
前記１又は２以上の目標エミッション範囲は、約１０百万分の１体積（ｐｐｍｖ）未満の酸素範囲及び／又は約１０００ｐｐｍｖ未満の一酸化炭素範囲からなる、
請求項５に記載のシステム。
【請求項８】
前記量論的制御モードにおける前記制御システムは、前記ほぼ化学量論的な比を維持しながら複数のセットの流量の中で前記流量を漸次的に変化させるように構成され、
前記複数のセットの流量は、少なくとも３つのセット、または少なくとも４つのセットの流量からなる、
請求項１に記載のシステム。
【請求項９】
前記量論的制御モードにおける前記制御システムは、前記ほぼ化学量論的な比を維持し、同時に
前記複数のセットの流量の中で前記流量を漸次的に減少させ、
複数の出力の中の前記タービンの出力を漸次的に減少させ、かつ
１又は２以上の目標エミッション範囲内に前記排気ガスのエミッションを維持する、
ように構成されている、
請求項８に記載のシステム。
【請求項１０】
前記制御システムは、複数のセットの流量のうちの第１の流量のセットから前記複数のセットの流量のうちの第２の流量のセットに前記流量を漸次的に減少させ、複数のセットの出力のうちの第１の出力から前記複数のセットの出力のうちの第２の出力に前記電気出力を漸次的に減少させ、エミッションを１または２以上の目標レンジ内に維持した後に、前記量論的制御モードから前記非量論的制御モードに移行するように構成される、
請求項９に記載のシステム。
【請求項１１】
前記量論的制御モードから前記非量論的制御モードへの前記移行後に、前記制御システムは、該非量論的制御モードの燃料リッチ制御モード、または非量論的制御モードの燃料リーン制御モードで作動するように構成されている、
請求項１０に記載のシステム。
【請求項１２】
前記制御システムは、
複数のセットの流量の中で前記流量を漸次的に変化させ、
前記流量の前記変化に応答して複数の出力の中の前記タービンの出力を漸次的に変化させ、
前記流量の前記変化の前及び後に１又は２以上の目標エミッション範囲内に前記排気ガスのエミッションを維持し、
前記流量の前記変化の前及び後に前記排気ガス再循環経路に沿って前記排気ガスの温度を目標温度範囲内に維持し、かつ
前記流量の前記変化の前及び後に前記排気ガス再循環経路に沿って前記排気ガスの圧力を目標圧力範囲内に維持する、ように構成されている、
請求項１に記載のシステム。
【請求項１３】
前記制御システムは、排気抽出バルブ、抽出通気バルブ、前記排気ガス圧縮機又は酸化剤圧縮機の作動速度、前記排気ガス圧縮機の入口ガイドベーンの位置、前記排気ガス圧縮機の再利用バルブ、又はこれらの何れかの組み合わせのうちの少なくとも１つを調整することによって前記圧力を維持するように構成されている、
請求項１２に記載のシステム。
【請求項１４】
前記タービン燃焼器は、第１の流体供給回路に結合された第１のセットの燃料ノズルと、第２の流体供給回路に結合された第２のセットの燃料ノズルとを含み、前記第１の拡散ノズルは、該第１又は第２のセットの燃料ノズルのどちらかの一部であり、前記制御システムは、該第１及び第２の流体供給回路を通して流体流を独立して制御するように構成されている、
請求項１に記載のシステム。
【請求項１５】
前記制御システムは、異なる割合で前記第１及び第２の流体供給回路を通して前記流体流を独立に変化させるように構成されている、
請求項１４に記載のシステム。
【請求項１６】
拡散火炎として混合して燃焼し、燃焼生成物を生成する少なくとも１つの酸化剤及び少なくとも１つの燃料をタービン燃焼器のチャンバの中に注入するステップと、
前記燃焼生成物でタービンを駆動するステップ及び排気ガスを出力するステップと、
前記排気ガスを排気ガス再循環経路に沿って排気ガス圧縮機まで再循環させるステップと、
前記排気ガスを圧縮してそれを前記タービン燃焼器に送るステップと、
前記タービン燃焼器への前記少なくとも１つの酸化剤及び前記少なくとも１つの燃料の流量を、前記流量を変化させて前記少なくとも１つの酸化剤との前記少なくとも１つの燃料のほぼ化学量論的な比を提供するように構成された量論的制御モードで制御するステップと、
前記タービン燃焼器への前記少なくとも１つの酸化剤及び前記少なくとも１つの燃料の流量を、前記流量を変化させて前記少なくとも１つの酸化剤との前記少なくとも１つの燃料の非化学量論比を提供するように構成された非量論的制御モードで制御するステップと、を含む、
ことを特徴とする方法。
【請求項１７】
前記量論的制御モードで制御するステップは、約０．９５と約１．０５の間の当量比を用いて前記ほぼ化学量論的な比を提供するステップを含み、
前記非量論的制御モードで制御するステップは、約０．９５未満又は約１．０５よりも大きい当量比を用いて前記非化学量論比を提供するステップを含む、
請求項１６に記載の方法。
【請求項１８】
前記量論的制御モードで制御するステップは、前記ほぼ化学量論的な比を維持しながら前記流量を第１のセットの流量から第２のセットの流量に変化させるステップを含み、
前記量論的制御モードで制御するステップは、前記流量をそれぞれ前記第１のセットの流量から前記第２のセットの流量に変化させることによって前記タービンの出力を第１の出力から第２の出力に変化させるステップを含む、
請求項１６に記載の方法。
【請求項１９】
前記第２のセットの流量は、前記第１のセットの流量未満であり、前記第２の出力は、前記第１の出力未満である、または、
前記第２のセットの流量は、前記第１のセットの流量よりも大きく、前記第２の出力は、前記第１の出力よりも大きい、
請求項１８に記載の方法。
【請求項２０】
前記量論的制御モードで制御するステップは、前記流量を前記第１のセットの流量から前記第２のセットの流量に変化させながら前記排気ガスのエミッションを変化させて１又は２以上の目標エミッション範囲内に維持するステップを含む、
請求項１８に記載の方法。
【請求項２１】
前記量論的制御モードで制御するステップは、
前記ほぼ化学量論的な比を維持し、
前記複数のセットの流量の中で前記流量を漸次的に減少させ、
複数の出力の中の前記タービンの出力を漸次的に減少させ、かつ
１又は２以上の目標エミッション範囲内に前記排気ガスのエミッションを維持しながら、
複数のセットの流量の中で前記流量を漸次的に変化させるステップを含む、
請求項１６に記載の方法。
【請求項２２】
複数のセットの流量の中で前記流量を漸次的に変化させ、
前記流量の変化に応答して複数の出力の中の前記タービンの出力を漸次的に変化させ、
前記流量の変化の前及び後に１又は２以上の目標エミッション範囲内に前記排気ガスのエミッションを維持し、
前記流量の変化の前及び後に前記排気ガス再循環経路に沿って前記排気ガスの温度を目標温度範囲内に維持し、かつ
前記流量の変化の前及び後に前記排気ガス再循環経路に沿って前記排気ガスの圧力を目標圧力範囲内に維持する、ために、
１又は２以上の作動パラメータを制御するステップを含む、
請求項１６に記載の方法。
【請求項２３】
第１及び第２の流体供給回路を通して流体流を独立して制御するステップを含み、
前記タービン燃焼器は、前記第１の流体供給回路に結合された第１のセットの燃料ノズルと、前記第２の流体供給回路に結合された第２のセットの燃料ノズルとを備え、
前記第１又は第２のセットの燃料ノズルのうちの少なくとも一方は、前記拡散火炎を発生するように構成された第１の拡散燃料ノズルを備えている、
請求項１６に記載の方法。
【請求項２４】
注入するステップは、前記少なくとも１つの酸化剤及び前記少なくとも１つの燃料を第１の拡散燃料ノズルに沿って互いに隔離されたそれぞれの第１及び第２の通路から別個に注入するステップを含む、
請求項１６に記載の方法。
【請求項２５】
酸化剤を少なくとも１つの酸化剤圧縮機に導入して圧縮酸化剤ストリームを生成するステップと、
再循環されたガスストリームをガスタービンエンジンの圧縮機セクションに導入して圧縮再循環ガスストリームを生成するステップと、
実質的に化学量論比で、第１の圧縮酸化剤流量を有する前記圧縮酸化剤ストリームの第１の部分と第１の燃料流量を有する燃料ストリームとを少なくとも１つのタービン燃焼器に導入するステップと、
燃焼ポイントにて前記圧縮酸化剤ストリーム及び該燃料ストリームを混合するステップおよび前記圧縮酸化剤ストリーム及び前記燃料ストリームの混合物を燃焼させるステップと、
圧縮再循環ガス流量を有する前記圧縮再循環ガスストリームの第１の部分を前記少なくとも１つのタービン燃焼器に導入するステップ、前記燃焼ポイントの後でそれを圧縮酸化剤及び燃料の前記燃焼しているストリームと混合して燃焼生成物ストリームを生成するステップと、
前記燃焼生成物ストリームを前記ガスタービンエンジンの膨張器セクションに導入するステップと、前記燃焼生成物ストリームを膨張させて第１の機械出力と、第１の排気ガス流量および第１エミッションレベルの排気ガスストリームとを生成するステップと、
前記ガスタービンエンジンの前記圧縮機セクションを駆動するように前記第１の機械出力の第１の部分を使用するステップと、
発電機、前記少なくとも１つの酸化剤圧縮機、又は少なくとも１つの他の機械デバイスのうちの少なくとも１つを駆動するように前記第１の機械出力の第２の部分を使用するステップと、
前記ガスタービンエンジンの前記膨張器セクションの出口から該圧縮機セクションの入口まで再循環ループで前記再循環された排気ガスストリームを再循環させ再循環ガスストリームを生成するステップと、
前記ガスタービンエンジンからの前記再循環ガスストリームの少なくとも第２の部分を抽出するステップ、前記圧縮再循環ガスストリームの少なくとも第２の部分を第１の酸化触媒ユニットに搬送し、前記第１のエミッションレベルより低い第２のエミッションレベルを有している第１の生成物ストリームを生成するステップと、
前記ほぼ化学量論的な比を維持しながら、前記第１の燃料流量と第１の圧縮酸化剤流量とを、前記第２の燃料流量と第２の圧縮酸化剤流量にそれぞれ減少させ、前記第１の機械出力未満の第２の機械出力と、目標範囲内にある第３のエミッションレベルを有する第２の生成物ストリームを生成するステップと、
前記ほぼ化学量論的な比を維持しながら、前記第２の燃料流量と第２の圧縮酸化剤流量とを、第３の燃料流量と第３の圧縮酸化剤流量にそれぞれ減少させ、前記第２の機械出力未満の第３の機械出力と、目標範囲内にある第４のエミッションレベルを有する第３の生成物ストリームを生成するステップと、
前記第３の燃料流量と第３の圧縮酸化剤流量とを、第４の燃料流量と第４の圧縮酸化剤流量にそれぞれ減少させ、燃料リーン燃焼を生じさせ、前記第３の機械出力未満の第４の機械出力と、目標範囲より高い第５のエミッションレベルを有する第４の生成物ストリームを生成するステップと、備えている、
ことを特徴とする方法。